(57)【要約】【課題】装置へのディスクの着脱時に、トラバースを隠すことで、使用者に触れられないようにして、外観を良くしたディスク装置を提供することを目的とする。【解決手段】ターンテーブルのディスク載置面の待機位置と記録再生位置の間に固定して配置されたフロントカバーのディスク載置面にディスクを載置することでディスクの装着を行い、フロントカバーのディスク載置面に設けたターンテーブル挿通用の開口部に、開閉部材をディスク載置面に対して凹設し、ディスクを装置に着脱可能な状態では、開閉部材は開口部を塞ぐ位置に構成する。【選択図】図１
2006085827.tif 000002
【特許請求の範囲】
【請求項１】
ケースに収納されたディスク、あるいは大径のディスク、小径のディスクが、記録／再生可能な装置であって、
前記ディスクを記録／再生する光ピックアップと、前記ディスクを載置し前記光ピックアップが記録再生可能な位置で回転せしめるターンテーブルとを載置し、記録再生位置と待機位置との間を移動するトラバースと、
前記ターンテーブルのディスク載置面の前記待機位置と前記記録再生位置との間に固定配置され、前記ディスクを載置するディスク載置面を有したフロントカバーと、
前記ディスクに当接し、前記ディスクの中心を前記ターンテーブル中心へ移送する一つ、もしくは複数のセンタリング手段と、
前記ディスクを記録再生状態にする際、前記トラバースを前記待機位置から前記記録再生位置へ移動できるように、前記フロントカバーの前記ディスク載置面の一部に開口部を有し、
前記開口部には、開閉部材が設けられたことを特徴としたディスク装置。
【請求項２】
ディスクを装置に着脱可能な状態では、開閉部材は開口部を塞ぐ位置にあることを特徴とした、請求項１記載のディスク装置。
【請求項３】
開閉部材は、フロントカバーのディスク載置面に対して光ピックアップの方向に凹設することを特徴とした請求項１記載のディスク装置。
【発明の詳細な説明】
【技術分野】
【０００１】
本発明は、ＣＤやＤＶＤ等の記録用または再生用のディスク、あるいはディスクを収納したケースを装着し、記録または再生するためのディスク装置に関するものである。
【背景技術】
【０００２】
近年、ＤＶＤに記録再生可能なＤＶＤレコーダーが急速に普及し始めているが、今後の更なる普及拡大のために、従来とは形態を変えた装置の開発が求められている。
【０００３】
従来のディスク装置は、使用者がディスクを装置に装着する方法として、トレイ方式やスロットイン方式といった形態が主流となっているが、形態を変えた装置としては、実開平１−１５１４５３号公報に記載されたものが知られている。
【０００４】
従来のディスク装置は、ターンテーブルの取り付けられた本体に、ターンテーブルを含む本体前面を覆う蓋体が開閉可能に設けられている。蓋体にはディスクをターンテーブルにクランプする為のクランパが備えられている。使用者は本体と蓋体の間にディスクを入れ、蓋体を閉じることによってディスクがクランプされる構成になっている。
【特許文献１】実開平１−１５１４５３号公報
【発明の開示】
【発明が解決しようとする課題】
【０００５】
しかしながら、上記の従来の構成では、使用者がディスクを装置に装着する際、ターンテーブルがディスクを着脱する部分に露出しており、ターンテーブルにディスクが当たり、ディスクとターンテーブルに傷が付きやすいことや、ターンテーブルが露出して使用者から見えるため、外観上良くないという問題点を有していた。
【０００６】
本発明は上記従来の問題点を解決するもので、ディスクを着脱する状態では、ターンテーブルはカバーで隠され、使用者からは見えない状態にあるため、ディスクを装着しやすく、トラバース部を保護でき、外観の良いディスク装置を提供することを目的とする。
【課題を解決するための手段】
【０００７】
この目的を達成するために本発明のディスク装置は、ケースに収納されたディスク、あるいは大径のディスク、小径のディスクが、記録／再生可能な装置であって、ディスクを記録／再生する光ピックアップと、ディスクを載置し光ピックアップが記録再生可能な位置で回転せしめるターンテーブルとを載置し、記録再生位置と待機位置との間を移動するトラバースと、ターンテーブルのディスク載置面の待機位置と記録再生位置との間に固定配置され、ディスクを載置するディスク載置面を有したフロントカバーと、前記ディスクに当接し、ディスクの中心をターンテーブル中心へ移送する一つ、もしくは複数のセンタリング手段と、ディスクを記録再生状態にする際、トラバースを待機位置から記録再生位置へ移動できるように、フロントカバーのディスク載置面の一部に開口部を有し、開口部には、開閉部材を備えた構成を有している。
【０００８】
この構成によって、装置にディスクを装着しやすく、トラバース部を保護でき、外観良く見えるという優れた効果が得られる。
【発明の効果】
【０００９】
以上のように本発明は、装置にディスクを装着しやすく、トラバース部を保護でき、外観良く見えるという優れた効果が得られる。
【発明を実施するための最良の形態】
【００１０】
本発明の請求項１に記載の発明は、ケースに収納されたディスク、あるいは大径のディスク、小径のディスクが、記録／再生可能な装置であって、ディスクを記録／再生する光ピックアップと、ディスクを載置し光ピックアップが記録再生可能な位置で回転せしめるターンテーブルとを載置し、記録再生位置と待機位置との間を移動するトラバースと、ターンテーブルのディスク載置面の待機位置と記録再生位置との間に固定配置され、ディスクを載置するディスク載置面を有したフロントカバーと、ディスクに当接し、ディスクの中心をターンテーブル中心へ移送する一つ、もしくは複数のセンタリング手段と、ディスクを記録再生状態にする際、トラバースを待機位置から記録再生位置へ移動できるように、フロントカバーのディスク載置面の一部に開口部を有し、開口部には、開閉部材を有していることを特徴としたものであり、装置へのディスク装着を容易にでき、ディスク装着時にトラバース部を保護できるという作用を有する。
【００１１】
本発明の請求項２に記載の発明は、ディスクを装置に着脱可能な状態では、開閉部材は開口部を塞ぐ位置にあることを特徴としたものであり、ディスク装着時に使用者からはトラバース部を見えないようにでき、外観を良くすることができるという作用を有する。
【００１２】
本発明の請求項３に記載の発明は、開閉部材は、フロントカバーのディスク載置面に対して光ピックアップの方向に凹設することを特徴としたものであり、ディスクを装置から取り出す際に、ディスク載置面に載置されたディスクと開閉部材との間に隙間が生じるため、隙間を利用してディスクを取り出しやすくできるという作用を有する。
【００１３】
以下、本発明の実施の形態について、図を用いて説明する。
【００１４】
（実施の形態１）
図１は、本発明の実施の形態１におけるディスク装置のディスク装着状態の平面図である。ここでディスク装着状態とは、ユーザーが装置にディスクを装着する時の装置の状態のことである。図２はディスク装置のディスク装着状態の側面断面図で、図１におけるＺ−Ｚ部の断面である。図３はディスク装置のディスクのセンタリング完了状態の平面図、図４はディスク装置のディスクのセンタリング完了状態の側面断面図で、図３におけるＹ−Ｙ部の断面である。図５は同実施の形態におけるディスク装着状態の底面断面図で、図１におけるＸ−Ｘ部の断面である。
【００１５】
図１から図５において、１はディスク４を載置して記録または再生時にディスク４を回転させるターンテーブル、２はディスク４に信号を記録または再生する光ピックアップである。３はディスク装置の前面を覆うフロントカバー、３ａはフロントカバー３に設けられたディスク載置面で、光ピックアップ２の光軸方向に対し直交方向に設ける。３ｂはディスク載置面３ａの一部に設けた開口部で、ディスク装着状態と記録再生状態との切換時に、ターンテープル１のディスク載置面が挿通移動できるように設けられている。３ｃはフロントカバー３のディスク載置面３ａにおけるターンテーブル１及び光ピックアップ２から離間した位置に設けられたリブである。リブ３ｃのディスク載置面３ａに対して略垂直の方向の突出量は、本装置を縦置き（ディスク載置面３ａが、本装置の設置面に対して略垂直になるような設置方法）に設置した際に、ディスク及びカートリッジを載置できるような寸法に設定されている。またリブ３ｃは、カートリッジを載置時、カートリッジ９に収納されたディスク４の中心と記録再生状態のターンテーブル１の中心とが合うような位置に設ける。３ｄはリブ３ｃの底部に設けられた孔部で、その中を後述するセンタリング手段８が移動可能に配されている。
【００１６】
４は記録媒体であるディスクで、本実施の形態では大径ディスク（例えば１２センチディスク）を一例として説明しているが、小径ディスク（例えば８センチディスク）であっても、本装置に装着が可能である。なお、小径ディスクをセンタリングする際は、センタリング手段８のスライド量を、大径ディスクをセンタリングする際のセンタリング手段８のスライド量よりも多くすることで、センタリングが可能になる。
【００１７】
５はターンテーブル１と光ピックアップ２を搭載したトラバースベースで、支軸５ａを中心に待機位置と記録再生位置との間で回動できるように設けられている。待機位置とは、ターンテーブル１のディスク載置面及び光ピックアップ２はフロントカバー３のディスク載置面３ａより突出しない位置（つまり、ディスク載置面３ａより下部に位置した状態）である。記録再生位置とは、ターンテーブル１のディスク載置面がフロントカバー３のディスク載置面３ａより突出して、ディスク４を載置して記録再生可能な位置である。トラバースベース５の回動手段については図示しないが、例えば、モーターと歯車で構成される。
【００１８】
６は光ピックアップ２がディスク４の半径方向に移動する際にガイドとなるガイド軸、７は光ピックアップ２の移動のために用いる駆動モーターである。
【００１９】
８はリブ３ｃに載置されたディスク４の中心をターンテーブル１の中心に合うようにディスク４を移送するためのセンタリング手段であり、本実施の形態では、１つのセンタリング手段８でディスク４の外周部を支持してディスク４を移送させる方法をとっているが、センタリング手段は２つ以上設けてもよく、また、ディスク４の外周部以外の部位に支持させて移送させてもよい。また、センタリング手段８には、円弧形状となっているディスク４の外周部を確実に支持できるように、その上部に円弧部分８ａが設けられている。また、センタリング手段８は、待機位置（図１の位置）とセンタリング完了位置（図３の位置）の間で移動するように設けられる。センタリング手段８の移動手段については図示しないが、例えば、モーターと歯車とラックで構成される。
【００２０】
９はフロントカバー３の内部にスライド可能に配された扉部で、図１及び図５に示すように開口部３ｂを覆う第１の位置と、図３に示すように開口部３ｂを開放しトラバースベース５の回動動作を妨げない第２の位置との間をスライド可能としている。扉部９のスライド方向は、第１の位置から第２の位置へスライドする際は図１の矢印Ｂ及び図５の矢印Ｈ方向で、第２の位置から第１の位置へスライドする際は矢印Ｂ及びＨの逆方向である。扉部９は、第１の位置にある時、開口部３ｂを介して装置内部が目視不可能なような形状及び大きさを有している。
つまり、扉部９は、第１の位置にある時、開口部３ｂの鉛直方向への投影面以上の大きさを有している。また、扉部９の奥行き方向（ターンテーブル１の回転軸方向）の位置は、図２及び図５に示すように、フロントカバー３のディスク載置面３ａよりも奥（内側）に配されている。また扉部９が第１の位置にある時は、図５に示すように載置されたディスク４に対して間隙１０を有して配置される。なお、間隙１０はフロントカバー３と扉部９によって包囲された空間である。この間隙１０を形成することにより、ディスク４をディスク載置面３ａに載置した際に、ディスク４の上端近傍においてディスク４とディスク載置面３ａとの間にはほとんどクリアランスは無いが、ディスク４と扉部９との間には所定のクリアランスを生じさせることができる。なお、扉部９の移動手段については図示しないが、例えば、モーターと歯車とラックで構成される。
【００２１】
９ａは扉部９の裏面側に設けられた凹部で、図１および図２に示すように扉部９が第１の位置にある時、扉部９とターンテーブル１とが当接するのを避けるために設けられたものであり、本実施の形態ではターンテーブル１の一部が凹部９ａ内に位置するようにした。なお、凹部９ａ内に位置させるものはターンテーブルに限るものではなく、他の部材であっても構わない。また、本実施の形態では凹部は１カ所としたが、複数箇所設けてもよい。このように凹部９ａを設け、凹部９ａ内にターンテーブル１などの他部材を配することで、扉部９のスライド動作を妨げず、かつ装置全体の小型化をすることができる。
【００２２】
以上のように構成されたディスク装置について、図面を用いてその動作を説明する。
まず、ディスク装着状態で、ディスク４がリブ３ｃに置かれた場合について、図１〜図５を用いて説明する。なお、ディスク４を載置する際の扉部９の位置は、図１に示すように第１の位置にある。
【００２３】
ディスク４をリブ３ａに載置し、記録再生開始のスイッチ（図示せず）がＯＮされると、センタリング手段８がその円弧部分８ａにディスク４を載置した状態で、フロントカバー３のディスク載置面３ａに平行にかつ矢印Ａ方向（ターンテーブル１の中心に向かう方向）に移動する。それに伴ってディスク４はセンタリング手段８に外周部を支持されながら矢印Ａ方向へ移動する。
【００２４】
そして、センタリング手段８は図３に示すセンタリング完了位置でストッパー（図示せず）に当接して矢印Ａ方向への移動を停止する。ストッパーは、センタリング手段８によって移動されるディスク４の中心がターンテーブル１の中心に合うセンタリング位置で、センタリング手段８が停止するように設けられる。
【００２５】
次に、扉部９が図１の矢印Ｂ方向（図５の矢印Ｈ方向）へスライドを開始し、フロントカバー３の裏面側へ移動する。最終的には図３に示すように、少なくともトラバースベース５の回動動作を妨げない第２の位置まで移動する。これにより、開口部３ｂをトラバースベース５が挿通移動可能な状態になる。この時、扉部９は図３に示す第２の位置へ移動が完了している。ディスク載置面３ａに載置されたディスク４により、トラバースベース５は使用者側から目視が困難な状態となっている。
【００２６】
その後、図２に示すようにトラバースベース５が支軸５ａを中心に矢印Ｃ方向へ回動し、図４に示すようにそれに伴ってターンテーブル１のディスク載置面にディスク４が載置される。ターンテーブル１のディスク載置面には、ディスク４をクランプするための機構（図示せず）が設けられている。例えば、爪やフックで構成される。なお、ターンテーブル１にディスク４が載置される時、ターンテーブル１と装置に別途設けられたクランパ（図示せず）とでディスクを挟持することにより、ディスク４をターンテーブル１のディスク載置面に載置する方法もあり、より確実にディスク４をターンテーブル１に載置できる。
【００２７】
図３及び図４に示すようにトラバースベース５が記録再生位置に移動を完了すると、センタリング手段８は矢印Ｄ方向へ移動し、ターンテーブル１に載置されたディスク４の外周から離間する位置に退避する。本実施の形態では、センタリング手段８はリブ３ｃの孔部３ｄ内へ移動する。この時、ディスク４はターンテーブル１に保持されている。センタリング手段８は、ターンテーブル１に載置されたディスク４の外周から離間していれば、センタリング手段８の待機位置（図１の位置）とセンタリング完了位置（図３の位置）との間のどの位置に退避しても良い。その後、ターンテーブル１が回転してディスク４を回転させて、記録再生状態になる。
【００２８】
次に装置からディスク４を取り出す場合について説明する。
【００２９】
ディスク４が記録再生位置にある状態からディスク取出し用のスイッチ（図示せず）がＯＮされると、ターンテーブル１の回転が停止し、ディスク４の回転が停止する。そして、センタリング手段８が退避位置から、ディスク４外周を支持する位置（図３及び図４の位置）まで移動する。その後、トラバースベース５は、支軸５ａを中心に矢印Ｆ方向へ回動し、記録再生状態から図２に示す待機状態に移動する。それに伴ってディスク４はターンテーブル１のディスク載置面から外れる。
【００３０】
次に、図３に示す第２の位置に退避していた扉部９が矢印Ｅ方向へスライドし、図１に示す第１の位置までスライドする。この時、扉部９は開口部３ｂを覆い、トラバースベース５を含む装置内部のメカニズムなどを、外部から目視できないよにしている。
【００３１】
その後、センタリング手段８はディスク４を載置した状態で矢印Ｄ方向（待機位置方向）に移動し、それに伴ってディスク４はリブ３ｃに載置される位置へ移動し、図１及び図２に示す状態となる。これにより、ディスク４を取り出し可能になる。
【００３２】
以上のように本実施の形態１によれば、フロントカバー３の一部にターンテーブル１が挿通移動できるような開口部３ｂを設け、さらにフロントカバー３の一部にリブ３ｃとセンタリング手段８を設けることにより、ディスク４をリブ３ｃに載置すれば、ディスク４の中心がターンテーブル１の中心に合うように自動的に移送することができるようになり、ディスク４の装着が容易にできる。
【００３３】
さらに、本装置が使用者によりディスク４を装着可能な状態にある時、開口部３ｂを覆う扉部９をスライド可能に設けることにより、ディスク装着前の状態においてフロントカバー３内に配されたトラバースベースなどのメカニズムが外部から目視できないようにすることができ、美観・品格を向上させることができる。
【００３４】
また、図１に示す状態の時、扉部９によって、トラバースベース５を覆い隠すことができるので、トラバースベース５に配されている部品を外的要因から保護することができる。特に、光ピックアップ２が埃などに弱いことを考えると、扉部９を設けることで装置内部への埃などの侵入を防ぎ、光ピックアップ２などへの埃の付着を防止あるいは低減することができる。
【００３５】
また、図１及び図５に示すように扉部９が第１の位置にある時、扉部９と載置されたディスク４との間に間隙１０を有するように扉部９を配置したことにより、ディスク４を本装置から取り出す際に、ディスク４の上端部（ディスク４におけるセンタリング手段８により支持された部位に対して平面方向に対向した部位）に使用者の指（例えば人差し指）を引っかけやすくなるため、ディスク４を取り出しやすくなる。
【００３６】
なお、本実施例では、センタリング手段８がセンタリング動作をした後に扉部９を開く（第２の位置へ移動）構成としているが、扉部９が開いた後、センタリング手段８がセンタリング動作をしてもよい。また、記録再生状態からディスク４を取り出す時に扉部９が閉じた後（第１の位置に移動した後）に、センタリング手段８が待機位置に移動するとしているが、センタリング手段８を待機位置に移動した後、扉部９を閉じてもよい。
【００３７】
さらに、扉部９のスライド動作と、センタリング手段８の移動動作は、同時に行ってもよい。同時に行うことで、ディスク載置からディスク記録再生状態までに至る所要時間を短縮することができ、ディスク取り出し時もディスク記録再生停止状態からディスク取り出し可能状態に至るまでの所要時間を短縮することができる。
【００３８】
また、扉部９の表面（ディスク載置面側）は、ディスク載置面３ａと同色、同材料、同処理などを施してもよく、これにより扉部９が第１の位置にある時、ディスク載置面３ａとの一体感を強調することができ、品格を向上させることができる。
【００３９】
また、本発明は、ケースに収納されたディスク（以降カートリッジと呼ぶ）を装着する場合についても適用できる。カートリッジを装着した場合の動作で、ディスクを装着した場合と異なる点は、図示しないが、カートリッジを装着した場合、センタリング手段がセンタリングのために移動する際、カートリッジの下端面に当接してセンタリング手段が停止する点と、トラバースが記録再生位置に移動する前に、カートリッジのシャッターを開け、また、トラバースが待機位置に移動した後に、シャッターを閉じるシャッターの開閉手段が必要である点である。
【００４０】
また、本発明は、ディスクのみを記録再生できるディスク専用のディスク装置にも、カートリッジのみを記録再生できるディスク装置にも、ディスクとカートリッジの両方を記録再生できるディスク装置にも適用することが可能である。
【００４１】
なお、本発明は上記した実施の形態に限定されるものではない。
【産業上の利用可能性】
【００４２】
本発明にかかるディスク装置は、ターンテーブルのディスク載置面の待機位置と記録再生位置の間に固定して配置されたフロントカバーのディスク載置面にディスクを載置することで、センタリング手段によりセンタリングされてディスクが装着されるディスク装置であって、ディスク載置面に設けたターンテーブル挿通用の開口部に開閉部材をディスク載置面より凹設することで、ディスク装置へのディスクの装着を容易にし、トラバース部を保護し、外観上良くすることが必要な用途にも適用できる。
【図面の簡単な説明】
【００４３】
【図１】本発明の実施の形態１におけるディスク装置のディスク装着状態の平面図
【図２】本発明の実施の形態１におけるディスク装置のディスク装着状態の側面断面図
【図３】本発明の実施の形態１におけるディスク装置のディスクのセンタリング完了状態の平面図
【図４】本発明の実施の形態１におけるディスク装置のディスクのセンタリング完了状態の側面断面図
【図５】本発明の実施の形態１におけるディスク装置のディスク装着状態の図１のＸ−Ｘ部断面図
【符号の説明】
【００４４】
１    ターンテーブル
２    光ピックアップ
３    フロントカバー
３ａ    ディスク載置面
３ｂ    開口部
３ｃ    リブ
４    ディスク
５    トラバースベース
５ａ    支軸
６    ガイド軸
７    駆動モーター
８    センタリング手段
９    扉部
【図１】
2006085827.tif 000003
【図２】
2006085827.tif 000004
【図３】
2006085827.tif 000005
【図４】
2006085827.tif 000006
【図５】
2006085827.tif 000007